(57)【要約】【課題】地震時における天井と壁の衝突の衝撃による天井材の落下を防止した耐震天井１を提供する。【解決手段】天井スラブに吊支される天井下地材１０と、この天井下地材１０の下面に取り付けられる天井材１６とを有し、天井下地材１６の外周に沿って取り付けられた受け材と、これに対向する壁面との間に充填材４を充填する。この充填材４は、天井下地材１６側の受け材と対応位置の壁面との間に充填されることによって、地震のときに天井の揺れを規制し、天井の外周端が壁と衝突するのを防止するものである。受け材は、天井下地材１６の野縁受け１３又は野縁１５からなるものとすることができる。【選択図】図２
2014218854.tif 000002
【特許請求の範囲】
【請求項１】
天井スラブに吊支される天井下地材と、この天井下地材の下面に取り付けられる天井材とを有し、前記天井下地材の外周に沿って取り付けられた受け材と、これに対向する壁面との間に充填材を充填したことを特徴とする耐震天井。
【請求項２】
受け材が、天井下地材における野縁受け又は野縁からなることを特徴とする請求項１に記載の耐震天井。
【請求項３】
充填材は水平方向への伸縮変形又は塑性変形が可能であることを特徴とする請求項１又は２に記載の耐震天井。
【請求項４】
壁面に、充填材と当接された壁側受け材を取り付けたことを特徴とする請求項１〜３のいずれかに記載の耐震天井。
【発明の詳細な説明】
【技術分野】
【０００１】
本発明は、建物の天井において、耐震性を高めて地震による落下を防止した耐震天井に関する。
【背景技術】
【０００２】
鉄筋コンクリート造などの建物における吊り天井としては、従来から、躯体の天井スラブの下に吊りボルトを垂設し、この吊りボルトの下端部に取り付けたハンガーと呼ばれる金具で複数の棒状の野縁受けを水平かつ互いに平行に吊支し、この野縁受けにクリップを介して直交する複数の棒状の野縁を水平かつ互いに平行に取り付けることによって、これらの部材からなる天井下地材を構築し、前記野縁の下面に天井材を取り付け、この天井材の外周側の隙間を下から目隠しする見切縁を壁面に取り付けて構成したものが一般的に知られている。
【０００３】
そして、このような吊り天井の耐震性を高めるために、吊りボルトの上部とこれに隣接する吊りボルトの下部又は野縁受けとの間に斜材としてのブレースを設置することによって、天井を揺れにくくすると共に、天井材とその周囲の壁との間に十分なクリアランスを設けることで、地震時に天井材が壁と衝突して落下することがないようにしている。
【０００４】
しかしながら、揺れ止めのためのブレースを設置すると共に、天井の外周端部と壁との間にクリアランスを設ける構造では、天井裏の設備機器の配置などによっては、計算上必要なブレースを設けることができない場合があり、あるいはクリーンルームなど部屋の使用条件などによっては、天井の外周端部と壁との間に十分なクリアランスを設けることができない場合がある。そしてブレースや十分なクリアランスを設けることができない場合は、地震のときに天井の揺れによってその外周端が壁と繰り返し衝突し、その衝撃によって天井材が野縁から脱落して落下するおそれがある。
【０００５】
また、天井と壁の間にクリアランスを設けなければ、すなわち天井と壁を常時接触させた構造とすれば天井と壁の衝突は起こらないはずである。しかし、天井と壁の間にある程度のクリアランスが生じてしまうことは、施工上不可避であり、常時接触した構造とすることは現実には困難である。
【０００６】
そこで、天井材が揺れてその外周端が壁面と衝突するのを防止するために、野縁受け又は野縁の外周部と壁との間に、高減衰材からなる変位吸収部材を介在させる技術も提案されている（例えば特許文献１参照）。
【０００７】
しかしながら、特許文献１に開示された技術によれば、変位吸収部材は、野縁受け又は野縁の外周部に取り付けられる天井側取付部材と、壁面に取り付けられる壁面側取付部材の双方に接着された構造となっているため、構造が複雑で、取付作業も煩雑である。
【先行技術文献】
【特許文献】
【０００８】
【特許文献１】特開２００７−２９１７６１号公報
【発明の概要】
【発明が解決しようとする課題】
【０００９】
本発明は、以上のような点に鑑みてなされたものであって、その技術的課題は、地震時における天井と壁の衝突の衝撃による天井材の落下を防止した耐震天井を提供することにある。
【課題を解決するための手段】
【００１０】
上述した技術的課題を有効に解決するための手段として、請求項１の発明に係る耐震天井は、天井スラブに吊支される天井下地材と、この天井下地材の下面に取り付けられる天井材とを有し、前記天井下地材の外周に沿って取り付けられた受け材と、これに対向する壁面との間に充填材を充填したことを特徴とするものである。
【００１１】
この構成によれば、地震による水平変位力は、建物の躯体壁から充填材を介して天井（耐震天井）へ伝達されるため、天井は躯体壁と一体に変位することになる。したがって天井の外周端が壁面と衝突するのを防止することができる。
【００１２】
請求項２の発明に係る耐震天井は、請求項１に記載された構成において、受け材が、天井下地材における野縁受け又は野縁からなることを特徴とするものである。
【００１３】
請求項３の発明に係る耐震天井は、請求項１又は２に記載された構成において、充填材は水平方向への伸縮変形又は塑性変形が可能であることを特徴とするものである。
【００１４】
請求項４の発明に係る耐震天井は、請求項１〜３のいずれかに記載された構成において、壁面に、充填材と当接された壁側受け材を取り付けたことを特徴とするものである。
【発明の効果】
【００１５】
本発明に係る耐震天井によれば、天井下地材の外周に沿って取り付けられた受け材と、これに対向する壁面との間に充填した充填材が、地震のときに天井の揺れを規制するため、地震によって天井の外周端が壁と衝突したときの衝撃によって天井材が天井下地材から脱落して落下するのを、有効に防止することができる。
【００１６】
また、受け材として、天井下地材における野縁受け又は野縁を利用することによって、コストの増大を防止することができる。
【００１７】
また、水平方向へ伸縮変形又は塑性変形可能な充填材を用いることによって、天井下地材の外周部と壁面との間のクリアランスの公差があっても、容易に充填することができ、施工が容易である。
【００１８】
また、天井下地材の外周部と壁面との間のクリアランスの大きさや充填材の材質に応じて壁側受け材を用いることによって、充填材の充填量を調整し、あるいは接着による充填材の保持を容易にすることができる。
【図面の簡単な説明】
【００１９】
【図１】本発明に係る耐震天井の好ましい第一の実施の形態を、天井裏空間側から見た斜視図である。
【図２】本発明に係る耐震天井の好ましい第一の実施の形態を示す断面図で、（Ａ）は図１におけるＡ部のＹ方向断面図、（Ｂ）は図１におけるＢ部のＸ方向断面図である。
【図３】本発明に係る耐震天井の好ましい第二の実施の形態を示す断面図で、（Ａ）は図１におけるＡ部と同位置のＹ方向断面図、（Ｂ）は図１におけるＢ部と同位置のＸ方向断面図である。
【発明を実施するための形態】
【００２０】
以下、本発明に係る耐震天井の好ましい実施の形態の形態を、図面を参照しながら説明する。まず図１〜図３は、第一の実施の形態を示すものである。
【００２１】
まず図１において、参照符号１は本発明に係る耐震天井、参照符号２は躯体壁で、鉄筋コンクリート壁、軽量鉄骨下地壁、又は軽量気泡コンクリート（ＡＬＣ）壁からなるものである。
【００２２】
耐震天井１は、躯体における不図示の天井スラブに垂設した多数の吊りボルト１１の下端にハンガー１２を介して溶融亜鉛めっき鋼板等からなる複数の棒状の野縁受け１３を水平かつ互いに平行に吊支し、この野縁受け１３の下に、クリップ１４を介して溶融亜鉛めっき鋼板等からなる複数の棒状の野縁１５を直交するように、水平かつ互いに平行に取り付けることによって、格子状の天井下地材１０を構築し、野縁１５の下面に耐火ボードからなる多数の天井材１６を互いに縦横（ＸＹ方向）に並べて詰めた状態に取り付けたものである。
【００２３】
不図示の天井スラブと格子状の天井下地材１０の間には、一対の型鋼等からなる補強材を互いに略Ｖ字形をなすように組んだ複数のブレース１７Ｘ，１７Ｙが配置されている。このうち、ブレース１７Ｘは野縁受け１３と平行な鉛直面に沿って延びており、すなわち野縁受け１３の延長方向（Ｘ方向）への耐震天井１の揺れを抑制するものであり、ブレース１７Ｙは野縁１５と平行な鉛直面に沿って延びており、すなわち野縁１５の延長方向（Ｙ方向）への耐震天井１の揺れを抑制するものである。
【００２４】
図２に示すように、躯体壁２の四方の壁面には、天井材１６の下面の外周端の下側に配置されて天井材１６と躯体壁２の壁面との間の隙間Ｇを塞ぐ見切縁３が取り付けられている。また、天井下地材１０の外周端面（四方の端面）と、これに対応する位置における躯体壁２の壁面２ｘ，２ｙとの間には充填材４が充填されている。
【００２５】
詳しくは、天井下地材１０を構成する複数の野縁受け１３のうち、最も外側（躯体壁２のＸ方向壁面２ｘ側）の野縁受け１３Ｏと、最も外側（躯体壁２のＹ方向壁面２ｙ側）の野縁１５Ｏは、天井下地材１０の外周に沿って配置されており、充填材４の受け材としての機能を併有するものである。詳しくは野縁受け１３Ｏは、図２（Ａ）に示すように、野縁１５の端部に位置しており、野縁１５Ｏは、図２（Ｂ）に示すように、野縁受け１３の端部に位置しており、充填材４が、野縁受け１３Ｏと前記Ｘ方向壁面２ｘの間、及び野縁１５Ｏと前記Ｙ方向壁面２ｙの間に充填されている。
【００２６】
充填材４としては、建築用の合成樹脂製シーリング材やコーキング材，シーリング工事で用いる合成ゴム又は合成繊維からなるバックアップ材、中空（管状）又は中実のゴム弾性体からなるスペーサーなどが好適に使用可能であり、野縁受け１３Ｏと躯体壁２のＸ方向壁面２ｘの双方、あるいは野縁１５Ｏと躯体壁２のＹ方向壁面２ｙの双方に接着されている。
【００２７】
充填材４は、野縁受け１３Ｏと躯体壁２のＸ方向壁面２ｘ、あるいは野縁１５ＯとＹ方向壁面２ｙに、接着剤を用いて接着しても良いが、シーリング材やコーキング材などを充填材４として用いる場合は、それ自体が適度な接着性を有するため、接着剤の塗布を省略することができる。
【００２８】
上記構成の耐震天井１によれば、地震による水平変位力が作用しても、図１に示すＸ方向への耐震天井１の揺れ（躯体壁２に対する相対変位）は、ブレース１７Ｘによる抑制作用と、天井下地材側受け材である最も外側の野縁１５Ｏと躯体壁２のＹ方向壁面２ｙの間に介在する充填材４の圧縮力によって抑えられ、言い換えれば、地震によるＸ方向への水平変位力は、Ｙ方向壁面２ｙから充填材４を介して天井下地材１０へ伝達されるため、耐震天井１はＸ方向へ躯体壁２と一体に変位することになる。また、図１に示すＹ方向への耐震天井１の揺れ（躯体壁２に対する相対変位）は、ブレース１７Ｙによる抑制作用と、天井下地材側受け材である最も外側の野縁受け１３Ｏと躯体壁２のＸ方向壁面２ｘの間に介在する充填材４の圧縮力によって抑えられ、言い換えれば、地震によるＹ方向への水平変位力は、Ｘ方向壁面２ｘから充填材４を介して天井下地材１０へ伝達されるため、耐震天井１はＹ方向へ躯体壁２と一体に変位することになる。そしてこのため、地震によって天井の外周端がＸ方向壁面２ｘあるいはＹ方向壁面２ｙと衝突するのを確実に防止し、ひいては衝突による衝撃によって天井材１６が野縁１５から脱落して落下するのを防止し、安全性を高めることができる。
【００２９】
また、上記構成の耐震天井１の施工においては、まず公知の方法によって天井スラブに取り付けた多数の吊りボルト１１及び所要数のブレース１７Ｘ，１７Ｙの下端にハンガー１２を介して複数の野縁受け１３を水平かつ互いに平行に吊支し、この野縁受け１３の下に、クリップ１４を介して複数の野縁１５を直交するように、水平かつ互いに平行に取り付けることによって、格子状の天井下地材１０を構築する。そしてこの例では、最も外側の野縁受け１３Ｏ及び野縁１５Ｏは、天井下地材１０の外周に沿って組み込まれる。
【００３０】
次に、最も外側の野縁受け１３Ｏとこれに近接対向する躯体壁２のＸ方向壁面２ｘとの間、及び最も外側の野縁１５Ｏとこれに近接対向する躯体壁２のＹ方向壁面２ｙとの間に充填材４を充填する。このとき、充填材４としてシーリング材やコーキング材、シーリング用バックアップ材から選択された不定形材料を用いた場合は、硬化前のこれらの材料は柔軟に塑性変形可能であるため、容易に充填することができる。また、中空又は中実のゴム弾性体の場合は、その幅が野縁受け１３Ｏ又は野縁１５Ｏと躯体壁２との間の隙間より大きいものを用いることで、その柔軟な伸縮変形によって容易に充填することができると共に、適度な圧縮力による制振性を付与することができる。しかもこの充填材４は、天井側に取り付ける天井側取付部材と、躯体壁２に取り付ける壁面側取付部材との間に粘弾性体を加硫成形したものに比較して簡素であり、低コストで施工することができる。
【００３１】
そして、天井下地材１０における野縁１５の下面に天井材１６を貼り付けると共に、その周囲の隙間Ｇを覆う見切縁３を躯体壁２の壁面２ｘ，２ｙに取り付けることで、施工が完了する。
【００３２】
次に図３は、本発明に係る耐震天井の第二の実施の形態を示すものである。
【００３３】
この第二の実施の形態において上述した第一の実施の形態と異なるところは、充填材４が、最も外側の野縁受け１３Ｏと、これに対向する躯体壁２のＸ方向壁面２ｘに取り付けられた壁側受け材５の間、及び天井下地材１０における最も外側の野縁１５Ｏと、これに対向する躯体壁２のＹ方向壁面２ｙに取り付けられた壁側受け材５の間にそれぞれ充填されたことにある。
【００３４】
壁側受け材５は、最も外側の野縁受け１３Ｏと、これに対向する躯体壁２のＸ方向壁面２ｘとの距離、あるいは最も外側の野縁１５Ｏと、これに対向する躯体壁２のＹ方向壁面２ｙとの距離が比較的大きい場合などに、充填材４の充填隙間の大きさを調整するスペーサーとして機能するもので、例えば中空の軽量の鋼材などからなるものである。
【００３５】
したがって、上記構成の耐震天井１の施工においては、まず上述と同様に格子状の天井下地材１０を構築してから、躯体壁２のＸ方向壁面２ｘに、最も外側の野縁受け１３Ｏと対向する壁側受け材５を配置して取り付け、また、躯体壁２のＹ方向壁面２ｙに、最も外側の野縁１５Ｏと対向する壁側受け材５を配置して取り付ける。
【００３６】
そして、最も外側の野縁受け１３Ｏ及び最も外側の野縁１５Ｏとこれに近接対向する壁側受け材５との間に充填材４を充填し、天井下地材１０における野縁１５の下面に天井材１６を貼り付けると共に、その周囲の隙間Ｇを覆う見切縁３を躯体壁２の壁面２ｘ，２ｙに取り付けることで、施工が完了する。
【００３７】
なお、上述した各実施の形態では、天井下地材１０の外周に沿って配置された野縁受け１３Ｏ及び野縁１５Ｏを、充填材４の受け材として利用したが、天井下地材１０の外周に沿って、例えば溝形鋼や山形鋼を取り付けることによって、これを受け材とすることもできる。
【符号の説明】
【００３８】
１  耐震天井
１０  天井下地材
１３  野縁受け
１３Ｏ  野縁受け（受け材）
１５  野縁
１５Ｏ  野縁（受け材）
１６  天井材
２  躯体壁
２ｘ  Ｘ方向壁面
２ｙ  Ｙ方向壁面
３  見切縁
４  充填材
５  壁側受け材
【図１】
2014218854.tif 000003
【図２】
2014218854.tif 000004
【図３】
2014218854.tif 000005